(57)【要約】【技術課題】重量のあるテレビ受像機等の向きを安定して自由に変えることができると共  に製作コストの低減を図る【解決手段】基台２の円錐形状の受け面２ｃに下段スペーサ３と上段スペーサ４を組み付けると共にこの下段スペーサ３と上段スペーサ４をスプリング板７を介して押え板６及び固定ボルト８により組み付ける。その上で、ベース５に取付金具１４を用いてテレビジョン１６を取り付け、基台２を戴置台１０に取り付ける。回転ユニット１は、下段スペーサ３と上段スペーサ４のテーパー面３ａ、４ａで荷重を受け、かつ  摺動回転するため、大きな荷重でもスムーズに回転し、かつ樹脂製とすることにより高い加工精度が要求されないために製作コストの低減が可能である。【選択図】図１
2011015153.tif 000002
【特許請求の範囲】
【請求項１】
ａ．機器を水平方向へ自在に回転させて視聴者が望む方向に画面を向けることが可能な機器搭載台に組み込まれる回転ユニットであって、
ｂ．前記回転ユニットは、基台と、この基台に上方から組み付けられる下段スペーサと、この下段スペーサ上に上方から組み付けられる上段スペーサと、この上段スペーサ上に上方から組み付けられるベースと、このベース上に上方から組み付けられるスプリング板と、このスプリング板上に上方から組み付けられる押え板と、この押え板を介して前記基台上に下段スペーサ、上段スペーサ、ベースを固定する固定ボルトと、から成ること、
ｃ．前記基台は、前記載置台に対する固定孔を形成したベースプレートの中央から上方に向けて円錐形状の受け面が形成されていると共にこの受け面には縦方向に係合溝が形成され、更に受け面の中央から上方に向けて支軸を形成し、この支軸には上端から内部に向けてねじ穴が形成されていること、
ｄ．前記下段スペーサは、前記基台の受け面と同一のテーパー角から成るテーパー面を内面及び外面に形成すると共に前記係合溝に嵌合するリブを内面に形成し、更にテーパー面に縦方向に割り溝を形成し、更に天面の中央に前記支軸が通る軸穴を形成した断面台形状を呈していること、
ｅ．前記上段スペーサは、前記下段スペーサのテーパー面と同一のテーパー角から成るテーパー面を内外に形成すると共に、後述するベースの底面に形成された係合溝に嵌合するリブを外面に形成し、更にテーパー面には縦方向に割り溝を形成し、更に天面の中央には前記支軸が通る軸穴を形成した断面台形状を呈していること、
ｆ．前記ベースは、円筒形状の胴体部の底面に前記上段スペーサのテーパー面と同一のテーパー角から成る上げ底状の底面を形成すると共にこの底面のテーパー面には前記上段スペーサのリブが嵌合する係合溝を形成し、更に底面の中央には前記支軸が通る軸穴を形成し、更に円筒形状の胴体部の内面には縦向きの固定ねじ穴が形成されていること、
ｇ．前記押え板は、前記ベースの天面に前記スプリング板を介して当接される平板状を呈し、かつ前記ベースに形成した固定ねじ穴を回避する凹部を周縁に形成すると共に底面中央には前記支軸が通る軸穴が形成されていること、
ｈ．前記固定ボルトは、前記押え板を上から押え、かつ前記基台のねじ穴内に螺入自在の長さを有するねじ部が形成されていること、
ｉ．を特徴とするテレビジョン等の搭載台用回転ユニット。
【請求項２】
前記下段スペーサと上段スペーサは、樹脂材により成形されていることを特徴とする請求項１に記載の回転ユニット。
【請求項３】
前記下段スペーサと上段スペーサには別々の樹脂が用いられていることを特徴とする請求項２に記載の回転ユニット。
【請求項４】
前記押え板の一部に押え板の表面から突き出たダボを形成し、さらに、前記スプリング板には前記ダボと嵌合するためのガイド穴が形成されていることを特徴とする請求項１に記載の回転ユニット。
【請求項５】
前記押え板の一部に爪を形成し、さらに、前記スプリング板には前記爪と嵌合するためのガイド穴が形成されていることを特徴とする請求項１に記載の回転ユニット。
【発明の詳細な説明】
【技術分野】
【０００１】
本発明は、テレビジョン受像機（以下「テレビジョン」と称する。）あるいはＰＣ、音響機器等の向きを任意の方向に転換させることができるように、テレビジョン等の搭載台に組み込まれる回転ユニットに関するものである。
【背景技術】
【０００２】
近年生活様式が変化し、テレビジョンを見る位置が多様化している。そのため、テレビジョンを任意の方向に向けられる様、回転機能を付加したテレビジョン搭載台が利用されている。
【０００３】
当然、テレビジョン搭載台にはテレビジョンの重量を支えかつスムーズな回転が得られる回転支持機構が必要である。
【０００４】
この回転支持機構の一つとして、本出願人は、特開２００６−２２７３９０号公報に掲載の構成の回転ユニットを提案している。
【０００５】
この回転ユニットは、モニター載置台１０３を上面に固定するポール２と、このポール２の下面に接して位置するアッパーブッシュ１０と、上面にアッパーブッシュ１０を一定の角度回転自在に載置する取り付けベース２０と、この取り付けベース２０の下面に接して位置するローラブッシュ３０と、このローラブッシュ３０の下面に接して位置するスプリング板４０と、このスプリング板４０に接して位置するバックプレート５０を固定ボルト６０を用いて一体的に組み付け、取り付けベース２０を基台１００上においてモニター載置台１０３を回転自在に支持するという構成である。
【０００６】
しかし、上記回転ユニットは、摺動面を平面同士で滑らせていたため、テレビジョンのサイズが大きくなり重量が増加するにつれて広い摺動面が必要になり、そのため回転ユニットが大型化し、デザイン的に不都合な場合が生じている。また、平面で部品を積み重ねているため、テレビジョンへ図１７に示す如く左右の揺れが生じた際、耐久性が弱かった。
【先行技術文献】
【特許文献】
【０００７】
【特許文献１】特開２００６−２２７３９０号公報
【発明の概要】
【発明が解決しようとする課題】
【０００８】
本発明は、斯かる点に鑑みて提供されるものであって、その目的は、テレビジョン等の荷重が増加しても大型化せず、円滑な回転が得られ、かつ耐久性に富んだテレビジョン等の搭載台用回転ユニットを提供することにある。
【課題を解決するための手段】
【０００９】
上記目的を達成するため、請求項１記載の発明は、次の構成から成る。
ａ．機器を水平方向へ自在に回転させて視聴者が望む方向に画面を向けることが可能な    機器搭載台に組み込まれる回転ユニットであって、
ｂ．前記回転ユニットは、基台と、この基台に上方から組み付けられる下段スペーサと    、この下段スペーサ上に上方から組み付けられる上段スペーサと、この上段スペーサ    上に上方から組み付けられるベースと、このベース上に上方から組み付けられるスプ    リング板と、このスプリング板上に上方から組み付けられる押え板と、この押え板を    介して前記基台上に下段スペーサ、上段スペーサ、ベースを固定する固定ボルトと、    から成ること、
ｃ．前記基台は、前記載置台に対する固定孔を形成したベースプレートの中央から上方    に向けて円錐形状の受け面が形成されていると共にこの受け面には縦方向に係合溝が    形成され、更に受け面の中央から上方に向けて支軸を形成し、この支軸には上端から    内部に向けてねじ穴が形成されていること、
ｄ．前記下段スペーサは、前記基台の受け面と同一のテーパー角から成るテーパー面を    内面及び外面に形成すると共に前記係合溝に嵌合するリブを内面に形成し、更にテー    パー面に縦方向に割り溝を形成し、更に天面の中央に前記支軸が通る軸穴を形成した    断面台形状を呈していること、
ｅ．前記上段スペーサは、前記下段スペーサのテーパー面と同一のテーパー角から成る    テーパー面を内外に形成すると共に、後述するベースの底面に形成された係合溝に嵌    合するリブを外面に形成し、更にテーパー面には縦方向に割り溝を形成し、更に天面    の中央には前記支軸が通る軸穴を形成した断面台形状を呈していること、
ｆ．前記ベースは、円筒形状の胴体部の底面に前記上段スペーサのテーパー面と同一
のテーパー角から成る上げ底状の底面を形成すると共にこの底面のテーパー面には前    記上段スペーサのリブが嵌合する係合溝を形成し、更に底面の中央には前記支軸が通    る軸穴を形成し、更に円筒形状の胴体部の内面には縦向きの固定ねじ穴が形成されて    いること、
ｇ．前記押え板は、前記ベースの天面に前記スプリング板を介して当接される平板状を    呈し、かつ前記ベースに形成した固定ねじ穴を回避する凹部を周縁に形成すると共に    底面中央には前記支軸が通る軸穴が形成されていること、
ｈ．前記固定ボルトは、前記押え板を上から押え、かつ前記基台のねじ穴内に螺入自在    の長さを有するねじ部が形成されていること、
ｉ．を特徴とするテレビジョン等の搭載台用回転ユニット。
【００１０】
更に、請求項２に記載の発明は、請求項１に記載の回転ユニットにおいて、前記下段スペーサと上段スペーサは、樹脂材により成形されていることを特徴とするものである。
【００１１】
この発明によると、樹脂の持つ潤滑性により、テレビジョン等の重量が増しても円滑な摺動回転を維持することができると共に金属製のように高い加工精度を必要としないため、製作コストの低減が可能である。
【００１２】
更に、請求項３に記載の発明は、請求項１に記載の回転ユニットにおいて、前記押え板の一部に押え板の表面から突き出たダボを形成し、さらに、前記スプリング板には前記ダボと嵌合するためのガイド穴が形成されていることを特徴とするものである。
【００１３】
この発明によると、ダボとガイド穴との組み合わせにより、押え板とスプリング板を一体化できる。
【００１４】
更に、請求項４に記載の発明によると、請求項１に記載の回転ユニットにおいて、前記押え板の一部に爪を形成し、さらに、前記スプリング板には前記爪と嵌合するためのガイド穴が形成されていることを特徴とするものである。
【００１５】
この発明によると、爪がガイド穴に嵌合することにより、押さえ板とスプリング板を一体化できる。
【発明の効果】
【００１６】
本発明の効果は次の通りである。
１．本発明の回転ユニットは、テレビジョン等の荷重を円錐形状の摺動面で受けている    ため、荷重力が分散される。よって、耐久性に富んだ回転ユニットの機能を果たすこ    とができる。
２．摺動面を円錐形状にしているため、テレビジョンが左右に揺れる力が働いてもこの    揺れを抑制することができる。
３．荷重がかかる摺動部を形成する部材へ円滑性に富む樹脂を用いているため、金属加    工品の様に面仕上がり精度を厳しくすることがなく、コスト的に有利である。
４．下段スペーサと上段スペーサには割り溝が設けられているため、大きな荷重がかか    ったときに、この割り溝により下段と上段スペーサの変形を吸収できるため、下段及    び上段スペーサの変形による摺動動作への影響を防止できる。
【図面の簡単な説明】
【００１７】
【図１】回転ユニットにおいて各部品を分解した状態の説明図である。
【図２】基台を示すもので、（ａ）は斜め上方から見た図、（ｂ）は底面を斜め下方から見た図である。
【図３】下段スペーサを示すもので、（ａ）は斜め上方から見た図、（ｂ）は底面を斜め下方から見た図である。
【図４】上段スペーサを示すもので、（ａ）は斜め上方から見た図、（ｂ）は底面を斜め下方から見た図である。
【図５】ベースを示すもので、（ａ）は斜め上方から見た図、（ｂ）は底面を斜め下方から見た図、（ｃ）は上面から見た平面図、（ｄ）は底面側から見た底面図である。
【図６】ベースの断面を示すもので、（ａ）は図５（ｃ）におけるＡ−Ａ´線断面図、（ｂ）は図５（ｃ）におけるＢ−Ｂ´線断面図である。
【図７】押え板を斜め上方から見た図である。
【図８】組み立てた状態の回転ユニットの平面図である。
【図９】組み立てた回転ユニットを示すもので、（ａ）は斜め上方から見た図、（ｂ）は底面を斜め下方から見た図である。
【図１０】組立てた回転ユニットを示すもので、（ａ）は平面図、（ｂ）は下面図である。
【図１１】回転ユニットの断面図を示すもので図１０におけるＣ−Ｃ´断面図である。
【図１２】図１０におけるＤ−Ｄ´断面図である。
【図１３】ベース、スプリング板、押え板を示すもので、（ａ）は固定ボルトを締め付ける前の説明図、（ｂ）は締め付けた後の説明図である。
【図１４】戴置台の分解斜視図である。
【図１５】テレビジョン戴置台に本発明に係る回転ユニットを用いてテレビジョンを取り付ける前の説明図である。
【図１６】テレビジョンを戴置台に取り付けた後の説明図である。
【図１７】従来の回転ユニットの欠点の説明図である。
【発明を実施するための最良の形態】
【００１８】
本発明のテレビジョン等の搭載台用回転ユニットは、テレビジョン等の荷重を円錐形状である摺動面で受け、かつ、摺動面をなす２つのスペーサはいずれも樹脂製を用いた。スペーサの成形材料としては、円滑な回転を継続するため相互に異なる樹脂を用いることが必要で（削れ防止）、一方のスペーサにＰＯＭ樹脂を、他方のスペーサにＡＢＳ樹脂又はＰＳ樹脂を用いることが望ましいが、これらに限定するものではない。
【実施例１】
【００１９】
請求項１〜請求項５に記載した本願発明を図１〜図１６に基づいて詳細に説明する。図１は、回転ユニット１を部品ごとに分解した状態を示すもので、この回転ユニット１は、テレビジョンを水平方向へ自在に回転させて視聴者が望む方向に画面を向けることが可能なテレビジョン搭載台１０に組み付けられるものであって、実施例の場合、回転角は正面向きから左右に１５°に設定されている。
【００２０】
この回転ユニット１は、基台２と、この基台２に組み付けられる下段スペーサ３と、この下段スペーサ３上に組み付けられる上段スペーサ４と、この上段スペーサ４上に組み付けられるベース５と、このベース５上にスプリング板７を介して組み付けられる押え板６と、この押え板６を介して前記下段スペーサ３、上段スペーサ４、ベース５を前記基台２上に組み付けて固定する固定ボルト８とから成る。
【００２１】
上記各部品において、更に詳細に説明すると、基台２は、図２(ａ)（ｂ）に示すように載置台に対する固定孔２ｂを形成したベースプレート２ａの中央から上方に向けて円錐形状の上段スペーサ３の受け面２ｃが形成されていると共にこの受け面２ｃには縦方向に割り溝が２ｄが形成され、更に受け面２ｃの中央から上方に向けてねじ孔２ｆを形成し、かつ二面幅２ｇを形成した支軸２ｅが形成されていて、材質は金属である。
【００２２】
下段スペーサ３は、図３(ａ)（ｂ）に示すように、前記基台２の下段スペーサ３の受け面２ｃと同一のテーパー角から成るテーパー面３ａを内面及び外面に形成すると共に前記割り溝２ｄに嵌合するリブ３ｂを内面に形成し、更にテーパー面３ａに縦方向割り溝３ｃを形成し、更に天面３ｄの中央に前記支軸２ｅが通る軸穴３ｅを形成し、更にテーパー面３ａにグリス溜り３ｆを形成した断面台形状を呈していて、樹脂製である。
【００２３】
上段スペーサ４は、図４（ａ）（ｂ）に示すように前記下段スペーサ３のテーパー面３ａと同一のテーパー角から成るテーパー面４ａを内外に形成すると共にテーパー面４ａにリブ４ｂを形成し、更にテーパー面４ａには縦方向に割り溝４ｃを形成し、更に天面４ｄの中央には前記支軸２ｅが通る軸穴４ｅを形成した断面台形状を呈していて、下段スペーサ３とは別の樹脂材で成形されている。
【００２４】
ベース５は、図５（ａ）〜（ｄ）に示すように円筒形状の胴体部５ａの上げ底上の底面５ｂに前記上段スペーサ４のテーパー面４ａと同一のテーパー角から成るテーパー面５ｃを形成すると共にこのテーパー面５ｃには前記上段スペーサ４のリブ４ｂが嵌合する溝５ｆを形成し、更に底面５ｂの中央には前記支軸２ｅが通る軸穴５ｄを形成し、更に円筒形状の胴体部５ａの内面に沿って１２０°間隔に固定ねじ穴５ｅを形成し、テーパー面５ｃに溝５ｆを形成した構成であって、金属製である。
【００２５】
押え板６は、図７に示すように、ベース５の底面５ｂ上に金属製のスプリング板７を介して当接される平板状を呈し、かつ前記ベース５に形成した固定ねじ穴５ｅを回避する凹部６ａを周縁に１２０°間隔で形成すると共に底面中央には前記支軸２ｅの二面幅２ｇに係合する長円の軸穴６ｂを形成した構成であって、金属製である。
【００２６】
固定ボルト８は、前記押え板６を外から押え、かつ前記基台２のねじ穴２ｆ内に螺入自在のねじ部８ａを形成した構成であって、金属製である。
【００２７】
上記構成において、基台２のテーパー面２ｃと下段スペーサ３と上段スペーサ４ａのテーパー面３ａ、４ａのテーパー角度は７５°に設定されているが、対応するテレビジョン等の重量、大きさ等によりこのテーパー角は変更される。
【００２８】
また、下段スペーサ３のテーパー面３ａにはグリス溜り３ｆが形成されていて、このグリス溜り３ｆ内にグリスを保持させることにより、下段スペーサ３と上段スペーサ４間の摺動性を高めている。
【００２９】
本実施例において、下段スペーサ３と上段スペーサ４とは樹脂の種類を変えており、下段スペーサ３はＰＯＭ樹脂製で、上段スペーサ４はＡＢＳ又はＰＳ樹脂製である。但し、この樹脂の種類と組み合わせは任意である。
【００３０】
前記、押え板６の下面にはダボ６ｃが形成され、スプリング板７には前記ダボ６ｃが嵌合するガイド穴７ｂが形成されていて、双方を嵌合させて押え板６とスプリング板７を一体化している。
【００３１】
なお、上記押え板６のダボ６ｃは爪に変え、この爪をガイド穴７ｂに嵌合させてスプリング板７と押え板６を一体化させても良い。
【００３２】
次に、以上に説明した回転ユニット１を組み立てた断面構造を図９〜１２に示す。先ず、組み立てにおいては、基台２の支軸２ｅに下段スペーサ３の軸穴３ｅを通し、リブ３ｂをスリット２ｄに嵌合しながら受け面２ｃに下段スペーサ３を被せるようにして組み付け、この下段スペーサ３上に上段スペーサ４の軸穴４ｅを支軸２ｅに通し、同じく被せるようにして組み付け、この上段スペーサ４上にベース５のテーパー面５ｃを合わせて組み付け、このときリブ４ｂをスリット５ｆに嵌合し、ベース５の底面５ｂ上にスプリング板７を載せ、その上に押え板６を置き、その上で固定ボルト８を支軸２ｅのねじ穴２ｆ内にねじ込んで押え板６を介してスプリング板７を図１３の（ａ）から（ｂ）に示すように圧縮して全体を基台２の受け面２ｃ上に押し付けるようにして取り付ける。この状況は図１１、図１２に示されている。
【００３３】
次に、図１４に示すように上板１２と下板１１から成るテレビ戴置台１０に回転ユニット１をねじ１３で組み付けると共にベース５上にねじ１５を用いて図１５に示すようにテレビ取付金具１４を取り付けた上で、図１６に示すように取付金具１４にねじ１７を用いてテレビジョン１６を取り付ける。
【００３４】
この結果、テレビジョン１６の向きを回転ユニット１の作用で自由に変更することができる。なお、この回転角は、図８に示すように、押え板６の凹部６ａとベース５の固定ねじ穴５ｅにより決る。
【産業上の利用分野】
【００３５】
１．テレビ受像機戴置台の回転ユニット
２．ＰＣ戴置台の回転ユニット
３．スピーカー戴置台の回転ユニット
４．各種ディスプレー戴置台の回転ユニット
【図１】
2011015153.tif 000003
【図２】
2011015153.tif 000004
【図３】
2011015153.tif 000005
【図４】
2011015153.tif 000006
【図５】
2011015153.tif 000007
【図６】
2011015153.tif 000008
【図７】
2011015153.tif 000009
【図８】
2011015153.tif 000010
【図９】
2011015153.tif 000011
【図１０】
2011015153.tif 000012
【図１１】
2011015153.tif 000013
【図１２】
2011015153.tif 000014
【図１３】
2011015153.tif 000015
【図１４】
2011015153.tif 000016
【図１５】
2011015153.tif 000017
【図１６】
2011015153.tif 000018
【図１７】
2011015153.tif 000019